(57)【要約】  本発明は、２つのコネクタ端部（２，２ａ，２ｂ，３，３ａ，３ｂ）、特にラインコネクタと、少なくとも２つの電気的加熱要素（１０，１０ａ，１０ｂ，１１，１１ａ，１１ｂ，１２，１２ａ，１２ｂ，１３，１３ａ，１３ｂ）とを伴う少なくとも１つの媒体ライン（７，７ａ，７ｂ）を有する加熱可能媒体ライン（１，１ａ，１ｂ，１ｃ，１ｄ）に関する。本発明は、少なくとも１つの手段が設けられ、該手段によって、前記加熱可能媒体パイプラインの前記２つの接続端部（２，２ａ，２ｂ，３，３ａ，３ｂ）に、差別化された熱の入力および／または出力が、可能にされるか又は与えられることを特徴とする。【選択図】  図２
2014534391.tif 000002
【特許請求の範囲】
【請求項１】
２つの接続端部（２，２ａ，２ｂ，３，３ａ，３ｂ）、特にパイプラインコネクタと、少なくとも２つの電気的加熱要素（１０，１０ａ，１０ｂ，１１，１１ａ，１１ｂ，１２，１２ａ，１２ｂ，１３，１３ａ，１３ｂ）とを有する少なくとも１つの媒体パイプライン（７，７ａ，７ｂ）を有する加熱可能媒体パイプライン（１，１ａ，１ｂ，１ｃ，１ｄ）であって、少なくとも１つの手段が設けられ、該手段によって、前記加熱可能媒体パイプラインの前記２つの接続端部（２，２ａ，２ｂ，３，３ａ，３ｂ）に、差別化された熱の入力および／または出力が、可能にされるか又は与えられることを特徴とする加熱可能媒体パイプライン（１，１ａ，１ｂ，１ｃ，１ｄ）。
【請求項２】
前記手段は、前記２つの接続端部（２，２ａ，２ｂ，３，３ａ，３ｂ）に結合する異なる出力であることを特徴とする、請求項１に記載の加熱可能媒体パイプライン（１，１ａ，１ｂ，１ｃ，１ｄ）。
【請求項３】
異なる数の巻線、および／または、異なる配置の前記複数の加熱要素（１０，１０ａ，１０ｂ，１１，１１ａ，１１ｂ，１２，１２ａ，１２ｂ，１３，１３ａ，１３ｂ）、特に複数の加熱ストランドが前記２つの接続端部（２，２ａ，２ｂ，３，３ａ，３ｂ）に設けられることを特徴とする、請求項２に記載の加熱可能媒体パイプライン（１，１ａ，１ｂ，１ｃ，１ｄ）。
【請求項４】
異なる加熱要素（１０，１０ａ，１０ｂ，１１，１１ａ，１１ｂ，１２，１２ａ，１２ｂ，１３，１３ａ，１３ｂ）が前記２つの接続端部（２，２ａ，２ｂ，３，３ａ，３ｂ）に設けられ、および／または、前記複数の加熱要素（１０，１０ａ，１０ｂ，１１，１１ａ，１１ｂ，１２，１２ａ，１２ｂ，１３，１３ａ，１３ｂ）が前記２つの接続端部（２，２ａ，２ｂ，３，３ａ，３ｂ）の領域において異なる抵抗を有することを特徴とする、請求項２または３に記載の加熱可能媒体パイプライン（１，１ａ，１ｂ，１ｃ，１ｄ）。
【請求項５】
前記媒体パイプライン（７，７ａ，７ｂ）に沿って延びて前記接続端部（２，２ａ，２ｂ，３，３ａ，３ｂ）、特にパイプラインコネクタ上に配置するための複数の前記加熱要素（１０，１０ａ，１０ｂ，１１，１１ａ，１１ｂ）が前記２つの接続端部（２，２ａ，２ｂ，３，３ａ，３ｂ）のうちの一方に設けられ、他方の前記接続端部（２，２ａ，２ｂ，３，３ａ，３ｂ）上に配置するための第３の加熱要素（１２，１２ａ，１２ｂ，１３，１３ａ，１３ｂ）が設けられ、前記第３の加熱要素が他の２つの前記加熱要素に接続されることを特徴とする、請求項２から４のいずれか１項に記載の加熱可能媒体パイプライン（１，１ａ，１ｂ，１ｃ，１ｄ）。
【請求項６】
２つの加熱要素（１０，１０ａ，１０ｂ，１１，１１ａ，１１ｂ）が設けられ、一方または両方の加熱要素が、一方の接続端部（２，２ａ，２ｂ，３，３ａ，３ｂ）特にパイプラインコネクタ、にのみ或いはその上にのみ、配置されることを特徴とする、請求項２から４のいずれか１項に記載の加熱可能媒体パイプライン（１，１ａ，１ｂ，１ｃ，１ｄ）。
【請求項７】
３つの加熱要素（１０，１０ａ，１０ｂ，１１，１１ａ，１１ｂ，１２，１２ａ，１２ｂ，１３，１３ａ，１３ｂ）が設けられ、前記加熱要素のうちの少なくとも１つは、一方の前記接続端部（２，２ａ，２ｂ，３，３ａ，３ｂ）特にパイプラインコネクタ、にのみ或いはその上にのみ、配置されることを特徴とする、請求項２から４のいずれか１項に記載の加熱可能媒体パイプライン（１，１ａ，１ｂ，１ｃ，１ｄ）。
【請求項８】
２つの加熱要素（１０，１０ａ，１０ｂ，１１，１１ａ，１１ｂ）が設けられ、各加熱要素は、一方の接続端部（２，２ａ，２ｂ，３，３ａ，３ｂ）特にパイプラインコネクタ、にのみ或いはその上にのみ、配置されることを特徴とする、請求項４に記載の加熱可能媒体パイプライン（１，１ａ，１ｂ，１ｃ，１ｄ）。
【請求項９】
前記２つの接続端部（２，２ａ，２ｂ，３，３ａ，３ｂ）、特にパイプラインコネクタは、異なる熱伝導構成を成すことを特徴とする、請求項１から８のいずれか１項に記載の加熱可能媒体パイプライン（１，１ａ，１ｂ，１ｃ，１ｄ）。
【請求項１０】
前記複数の加熱要素（１０，１０ａ，１０ｂ，１１，１１ａ，１１ｂ，１２，１２ａ，１２ｂ，１３，１３ａ，１３ｂ）は、該加熱要素が、前記２つの接続端部（２，２ａ，２ｂ，３，３ａ，３ｂ）特にパイプラインコネクタの独立した加熱、および／または異なる加熱のための少なくとも２つの回路（１５，１６）を形成するように、互いに接続されることを特徴とする、請求項１から９のいずれか１項に記載の加熱可能媒体パイプライン（１，１ａ，１ｂ，１ｃ，１ｄ）。
【請求項１１】
第１の回路（１６）が接続端部（３）と媒体パイプライン（７）とを備え、第２の回路（１５）が他方の接続端部（２）のみを備えることを特徴とする、請求項１０に記載の加熱可能媒体パイプライン（１，１ａ，１ｂ，１ｃ，１ｄ）。
【請求項１２】
少なくとも２つの回路（１５，１６）が、異なる規制方策をもって動作し得るか、または動作し、特に、前記２つの回路（１５，１６）のうちの一方の選択的なスイッチオフが、特に予め決定できる温度閾値を超える場合に行われ、および／または、少なくとも１つの前記回路（１５，１６）の断続動作および／または連続動作が行われることを特徴とする、請求項１１に記載の加熱可能媒体パイプライン（１，１ａ，１ｂ，１ｃ，１ｄ）。
【請求項１３】
加熱要素（１０，１０ａ，１０ｂ，１１，１１ａ，１１ｂ，１２，１２ａ，１２ｂ，１３，１３ａ，１３ｂ）が、互いに異なる加熱挙動を伴って組み合わされ得るか、或いは組み合わされ、特に、一方の接続端部（２）に、或いは該接続端部上に、ＰＴＣ挙動を伴う１つの加熱要素（１２）が設けられることを特徴とする、請求項１から１２のいずれか１項に記載の加熱可能媒体パイプライン（１，１ａ，１ｂ，１ｃ，１ｄ）。
【請求項１４】
異なる絶縁特性を有する複数の装置（２０，３０）が、前記媒体パイプライン（７，７ａ，７ｂ）の複数の前記接続端部（２，２ａ，２ｂ，３，３ａ，３ｂ）に、異なる放熱のために設けられることを特徴とする、請求項１から１３のいずれか１項に記載の加熱可能媒体パイプライン（１，１ａ，１ｂ，１ｃ，１ｄ）。
【請求項１５】
前記加熱可能媒体パイプライン（１）が、１つが他の内部に配置される少なくとも２つの媒体パイプライン（１ｃ，１ｄ）を備え、１つの内部媒体パイプライン（１ｃ）が内部において加熱され得るとともに、加熱可能媒体が少なくとも１つの内部媒体パイプライン（１ｃ）と外部媒体パイプライン（１ｄ）との間の中間空間（１０１）内で流れることができるか、或いは流れることを特徴とする、請求項１から１４のいずれか１項に記載の加熱可能媒体パイプライン（１，１ａ，１ｂ，１ｃ，１ｄ）。
【発明の詳細な説明】
【技術分野】
【０００１】
本発明は、２つの接続端部、特にパイプラインコネクタと、少なくとも２つの電気的加熱要素とを有する少なくとも１つの媒体パイプラインを伴う加熱可能媒体パイプラインに関する。
【背景技術】
【０００２】
加熱可能な少なくとも１つの媒体パイプラインと、少なくとも部分的に加熱可能なパイプラインコネクタとを有する組み立てられた媒体パイプラインは、従来技術において知られている。特に車両では、少なくとも流動媒体を運ぶための媒体パイプラインが設けられる。低温では、媒体パイプラインが凍結する虞があり、そのため、加熱が行われる。少なくとも２つの媒体パイプラインを接続するため、または、媒体パイプラインを所望のユニットにコネクタ接続するために、パイプラインコネクタが使用される。しばしば、比較的高い凝固点に起因して、なおかなり高い環境温度であっても凍結する傾向があるような媒体は、媒体パイプラインを通じて運ばれ、その結果、例えば車両の機能性が損なわれるか、或いは相当に妨げられる場合もある。これは、いわゆるＳＣＲ触媒コンバータを有するディーゼルエンジンのためのＮＯｘ反応添加剤として使用される媒体としてカルバミド水溶液を輸送する媒体パイプラインの場合のように、フロントガラス洗浄システムのための水パイプラインの場合に特に明らかである。
【０００３】
組み立てられた加熱可能媒体パイプラインの２つの接続端部は、通常、媒体パイプラインの端部に取り付けられる２つのパイプラインコネクタにより形成される。複数の加熱要素が、媒体パイプラインおよび／または接続端部またはパイプラインコネクタを加熱するために使用される。この目的のため、加熱要素は、媒体パイプラインおよび接続端部またはパイプラインコネクタの内部および／または外部に配置されてもよい。加熱要素は、電気的に直列に配線することができ、また、共通の電流源または電圧源に接続することができる。
【０００４】
加熱要素を電気的に並列に動作させて、その加熱出力を調整するために制御され或いは規制される動作電流を各加熱要素に個別に供給することも、国際公開第２０１０／０６３６２９号公報から知られている。ここで、各加熱要素にはそれ自身の動作電圧が個別に供給され、各動作電圧は、加熱出力を規制するために特定のパルスデューティサイクルにより断続されるパルス幅変調によって、供給電圧から生成される。結果として得られる各加熱要素の動作電流は、断続されるパルス状の動作電圧の実効値と、各瞬間の加熱要素の温度依存抵抗とによってもたらされる。
【０００５】
組み立てられた媒体パイプラインの加熱配線の電気的な直列接続および並列接続を設けることも、国際公開第２００８／１３１９９３Ａ１号公報から知られている。また、この従来技術の公開公報は、各パイプラインコネクタの加熱配線が、パイプラインの複数の巻線のうちの１つに電気的に直列に接続されるとともに、２つのパイプラインコネクタのそれぞれにおける２つの直列接続の接続端部が、電圧供給源の接続のためおよび／または更なる接続のために外側へ案内されることを開示する。加熱導体は、その電気抵抗が特定の部分で異なるような仕方でパイプラインに沿って配置することができ、それにより、異なる加熱出力が特定の部分において生成される。
【０００６】
したがって、従来技術のこれらの組み立てられた媒体パイプラインでは、個々の加熱要素または加熱配線を、互いに直列および／または並列に接続することができる。また、国際公開第２０１０／０６３６２９Ａ２号公報によれば、個々の加熱要素に電気エネルギーを、互いから個別に供給することにより、それぞれに必要とされる加熱出力を調整することができる。そのような加熱可能媒体パイプラインの用途においては、媒体パイプラインの２つの接続端部、特に２つのパイプラインコネクタにおいて、異なる所要熱量が存在するという問題がしばしば生じる。
【発明の概要】
【発明が解決しようとする課題】
【０００７】
したがって、本発明は、使用例に応じて媒体パイプラインの接続端部で異なる所要熱量をカバーできるように請求項１の前提文に係る加熱可能媒体パイプラインを発展させるという目的に基づく。
【課題を解決するための手段】
【０００８】
目的は、少なくとも１つの手段が設けられ、該手段によって、差別化された熱入力および／または出力が、媒体パイプラインの２つの接続端部において、可能にされ或いは与えられるという点において、請求項１の前文に係る加熱可能媒体パイプラインに対して達成される。本発明の発展は、従属請求項において規定される。
【０００９】
結果として、従来技術、特に国際公開第２０１０／０６３６２９Ａ２号公報とは異なり、それぞれの個々の加熱要素の加熱出力が制御されず、むしろ、より簡単な方法で、差別化された熱入力および／または出力が媒体パイプラインの接続端部に与えられる。熱出力は、ここでは、自身に接続される少なくとも１つの端部側パイプラインコネクタ、ユニット、および／または、構成要素を有する媒体パイプラインを通じて流れる媒体への熱の入力または伝達を意味するものと理解される。熱の伝達は、通常、熱伝導によって生じる。熱入力または熱出力の差別化は、各用途に固有の態様で行われる。例えば、異なる環境温度に起因して、媒体パイプラインの２つの接続端部において異なる所要熱量が存在し、その結果として、１つのより温かい端部または温かい端部、および、比較的に、より冷たい端部または冷たい端部が用途によりもたらされ、例えば、車両の場合には、冷たい端部がタンクの方向に配置されるとともに、温かい端部が、注入装置の投入ポイントの方向に、すなわち、排気系統分枝部またはエンジンの近傍に配置される場合には、媒体パイプラインの２つの接続端部に、異なる出力結合を手段として設けることができる。加熱可能媒体パイプラインの熱い領域またはより温かい領域において、そこに存在する熱放射は、しばしば、加熱可能媒体パイプラインを通じて流れる媒体を加熱するのに既に十分であり、すなわち、特に、車外の環境温度が低い場合に媒体を解凍するのに既に十分である。特に、異なる巻線数、および／または、異なる配置の加熱要素、特に加熱ストランドを、２つの接続端部またはパイプラインコネクタに設けることができる。２つの接続端部でストランドまたは加熱要素の数が同一である場合には、例えば、接続端部またはパイプラインコネクタにおいて、ピッチの異なる加熱要素および／または加熱要素案内部を設けることによって、出力結合をその場所において変えることができる。
【００１０】
また、異なる加熱要素を２つの接続端部に設けることができ、および／または、加熱要素が２つの接続端部の領域で異なる抵抗を有することができる。したがって、媒体パイプラインの２つの接続端部における異なる所要熱量を、接続端部における異なる出力結合によってカバーできる。例えば、熱い領域（既に言及したように、例えばエンジンまたは排気系統分枝部に近い投入ポイントにある）が一方の接続端部に存在し、冷たい領域（既に言及したように、例えばタンクの領域にある）として構成されて比較的高い抵抗の第２の加熱要素を備えることができる他方の接続端部におけるよりも低い抵抗を有する加熱要素が使用される。ここで、接続端部はパイプラインコネクタ、例えばＱＣ（クイックコネクタ）であってもよい。
【００１１】
また、媒体パイプラインに沿って延びて、接続端部、特にパイプラインコネクタに、その上に、または、その上方に、配置するための複数の加熱要素と、他方の接続端部に、その上に、または、その上方に配置するための第３の加熱要素とを、２つの接続端部のうちの一方に設けることができ、この場合、第３の加熱要素が他の２つの加熱要素に接続される。このように、他方の接続端部に更なる加熱要素が設けられず、むしろ、この接続端部を加熱するために、媒体パイプラインに沿って延びる複数の加熱要素または加熱ストランドが使用される。媒体パイプラインの他方の接続端部は、第３の加熱要素によって加熱される。そのような配置は、２つの接続端部に異なる熱質量を設けるときに特に適しており、その場合、例えば一方の接続端部のユニットが高い熱質量を有する。したがって、これは、接続端部における加熱要素の数および加熱要素の配置を変えることにより、加熱可能媒体パイプラインの構成において考慮に入れることができる。エンジンまたは排気系統分枝部に近い注入装置の投入側では、そこに存在する熱に起因して、パイプラインコネクタを加熱するために、また、適切な場合には媒体パイプラインの一部を加熱するためであっても、加熱要素が必要とされないが、加熱可能媒体パイプラインのタンク側端部では、熱がタンクからパイプラインコネクタへ外部的に結合しないため、そこに存在するパイプラインコネクタは加熱するのが有利である。
【００１２】
また、２つの加熱要素を設けることができ、その場合、一方または両方の加熱要素は、一方の接続端部、特に一方のパイプラインコネクタにのみ、或いはその上にのみ、配置される。したがって、ここでは、２つの加熱要素だけが設けられて、２つの接続端部のうちの一方だけが加熱される一方、他方の接続端部上または該接続端部には、加熱のために加熱要素が配置されない。
【００１３】
また、３つの加熱要素を設けることが有益であることが分かり、その場合、加熱要素のうちの少なくとも１つは、一方の接続端部、特に一方のパイプラインコネクタにのみ、或いはその上にのみ、配置される。したがって、一方の接続端部だけが加熱される。しかしながら、３つの加熱要素を設けると、加熱要素を他方の接続端部に或いは該接続端部上に配置して、同接続端部を加熱することもできる。
【００１４】
また、２つの加熱要素を設けることができ、その場合、各加熱要素は、一方の接続端部、特に一方のパイプラインコネクタにのみ、或いはその上にのみ、配置される。したがって、媒体パイプラインに沿って延びる２つの加熱要素だけが設けられ、また、各加熱要素はいずれも一方の接続端部上に或いは該接続端部に延びる。
【００１５】
また、２つの接続端部、特にパイプラインコネクタが異なる熱伝導構成を成せば、有益であることが分かる。一方の接続端部を他方の接続端部よりも高い熱伝導性をもって構成するために、金属および／または導電プラスチックを、例えばその接続端部における材料として使用することができ、一方、第１の接続端部と比べて熱伝導性が低い他方の接続端部は、例えば、導電性が殆どないＰＥなどの標準的なプラスチックから成る。結果として、媒体パイプラインの２つの接続端部、特に媒体パイプラインのパイプラインコネクタにおける異なる熱結合に起因して、高い耐熱負荷性をもたらすことができる。また、例えば接続された構成要素へのより良好な熱入力のために、一方の接続端部を結合部品として構成することができ、また、他方の接続端部をプラグコネクタとして構成することができる。異なる熱伝導率に起因して、パイプラインコネクタの領域で、より良好な温度分布を達成することができ、したがって、いわゆるホットスポットの形成を防止するために、より良好な熱放散を達成することができる。従って、さもなければ温度上昇が生じるはずのポイントにおいて、目標とする態様で熱放散を達成することができる。
【００１６】
また、接続された構成要素への熱入力を確実にすることにより、パイプラインコネクタまたは接続端部の領域において、より良好な熱伝導を実現することができ、その場合、熱伝導性の異なる接続端部が設けられる。したがって、接続された構成要素への熱入力を、媒体パイプラインに接続され、伝導率の異なるこれらの接続端部またはパイプラインコネクタによって制御することができる。
【００１７】
接続端部のうちの少なくとも一方への熱入力を可能にするために、有利には、この接続端部またはパイプラインコネクタの熱伝導率を改善することができる。したがって、特に、熱伝導性のパイプラインコネクタまたはＱＣ（クイックコネクタ）が設けられる。
【００１８】
また、加熱要素が２つの接続端部、特にパイプラインコネクタの独立した、および／または異なる加熱のための少なくとも２つの回路を形成するように加熱要素を互いに接続することが有益であることが分かる。第１の回路は、ここでは、接続端部と媒体パイプラインとを備えることができ、また、第２の回路は他方の接続端部のみを備えることができる。また、少なくとも２つの回路を異なる規制方策をもって動作させることができ、特に予め決定できる温度閾値を超える場合には、特に、２つの回路のうちの一方の選択的なスイッチオフを行うことができる。また、少なくとも１つの回路の断続動作および／または連続動作を行うことができる。加熱可能媒体パイプラインの様々な領域の差別化された加熱のために、そのような異なる回路を設けることにより、媒体パイプラインの２つの端部において、或いは接続端部において、異なる所要熱量をカバーすることができる。媒体パイプラインの２つの接続端部におけるそのような異なる所要熱量は、例えば、異なる環境温度によって、あるいは、媒体パイプラインの接続領域、すなわち、接続端部における出力結合に対する異なる需要によって引き起こされ得る。特に、加熱可能媒体パイプラインの連続的な巻線の場合、第１の回路は、一方の接続端部、特にパイプラインコネクタと、媒体パイプラインとを備えることができ、一方、第２の回路は、他方の接続端部または他方のパイプラインコネクタのみを備える。
【００１９】
少なくとも２つの回路の異なる規制方策を設けることは、特定の予め定めることのできる温度閾値を超えるか、或いは当該温度閾値に達しない場合における２つの回路のうちの少なくとも一方の選択的なスイッチング、あるいは、断続動作、または、連続動作を意味することができ、それにより、例えば、媒体パイプラインの２つの端部または２つの接続端部（パイプラインコネクタ）における異なる所要熱量をカバーするために、一方の回路が他方の回路よりも早くオフに切り換えられる。
【００２０】
また、異なる加熱挙動を伴う加熱要素を互いに組み合わせること、あるいは、当該加熱要素を組み合わせ可能な態様で構成すること、特に一方の接続端部で或いは該接続端部上でＰＴＣ挙動を伴う１つの加熱要素を設けることが有益であることが分かる。ＰＴＣは、通常は抵抗の、正の温度係数、すなわち、特定の温度での或いは短い温度範囲にわたる抵抗の突然の増大を意味する。ＰＴＣ抵抗は、高温におけるよりも低温において良好に電流を伝導できる電流伝導材料である。その電気抵抗は、温度の増大に伴って増大する。したがって、このタイプの抵抗は、正の温度係数を有する。
【００２１】
例えば、ＰＴＣ抵抗を有する加熱要素が接続端部のうちの一方に設けられ、この接続端部は、加熱可能媒体パイプラインの熱い領域を構成する。したがって、ここでは、異なる加熱挙動または特に温度挙動を伴う複数の加熱要素の組み合わせを与えることができ、１つの加熱要素が例えば過熱に対する保護のために使用される。ここでは、特に、加熱要素の自動規制挙動を達成することができる。
【００２２】
加熱可能媒体パイプラインは、１つが他の内部に配置される少なくとも２つの媒体パイプラインを備えることができ、この場合、１つの内部媒体パイプラインを内部加熱することができ、加熱可能媒体が少なくとも１つの内部媒体パイプラインと外部媒体パイプラインとの間の中間空間内で流れることができるか、或いは流れる。したがって、媒体パイプラインは、１つが他の内部に配置される複数の媒体パイプラインから成ることができ、その場合、媒体パイプラインのうちの少なくとも１つを加熱要素によって加熱することができ、また、加熱されるべき媒体が、２つの媒体パイプラインの間を流れることができる。
【００２３】
また、異なる熱放散のために、異なる絶縁特性を有する装置を媒体パイプラインの接続端部に設けることが有益であることが分かる。例えば、接続端部のうちの一方に外部絶縁キャップを設けるとともに、他方の接続端部にそのようなキャップを設けないことにより、絶縁を作り出すことができる。異なる絶縁特性を有する他のタイプのシェルまたはシェル機能を有する装置を、それぞれの接続端部に設けて、これらの接続端部で異なる熱放散を実現することもできる。
【００２４】
本発明を更に詳細に記述するため、以下の図面に基づき、本発明の例示的な実施形態について更に詳しく説明する。
【図面の簡単な説明】
【００２５】
【図１】本発明に係る組み立てられた加熱可能媒体パイプラインの側面図を示す。
【図２】図１に係る加熱可能媒体パイプラインの加熱要素の本発明に係る配線構成の第１の実施形態の概略図を示す。
【図３】加熱可能媒体パイプラインの加熱要素の本発明に係る配線構成の第２の実施形態の概略図を示す。
【図４】加熱可能媒体パイプラインのための本発明に係る配線構成の第３の実施形態の概略図を示す。
【図５】加熱可能媒体パイプラインの加熱要素の本発明に係る配線構成の第４の実施形態の概略図を示す。
【図６】加熱可能媒体パイプラインの加熱要素の本発明に係る配線構成の第５の実施形態の概略図を示す。
【図７】加熱可能媒体パイプラインの加熱要素の本発明に係る配線構成の第６の実施形態の概略図を示す。
【図８】加熱可能媒体パイプラインの本発明に係る配線構成の第７の実施形態の概略図を示す。
【図９】加熱可能媒体パイプラインの加熱要素の本発明に係る配線構成の第８の実施形態の概略図を示す。
【図１０】図１０ａおよび図１０ｂは、加熱可能媒体パイプラインのための本発明に係る配線構成の第９の実施形態の概略図を示す。
【図１１】本発明に係る加熱可能媒体パイプラインの一実施形態を伴うＳＣＲ触媒システムの概略図を示す。
【図１２】内部および外部の媒体パイプラインが、１つが他の内部に位置するように配置される、加熱要素の本発明に係る２部品構成媒体パイプライン及び配線構成を伴うパイプラインコネクタの部分断面図を示す。
【発明を実施するための形態】
【００２６】
図１は、パイプラインコネクタの形態を成す２つの接続端部２，３を有する加熱可能媒体パイプライン１の側面図を示す。パイプラインコネクタ２，３は、いずれも、殆どの異なる装置またはユニットに接続するように構成される。図１に示される例では、パイプラインコネクタ２が屈曲型コネクタとして構成されるとともに、パイプラインコネクタ３が直線型パイプラインコネクタとして構成される。しかしながら、これを逆にすることもでき、あるいは、両方のパイプラインコネクタ２，３を直線態様で或いは屈曲態様で構成することもできる。
【００２７】
例えば、図１１から分かるように、タンク４を加熱可能媒体パイプラインの一方側に接続することができ、また、投入モジュール５を加熱可能媒体パイプラインの他方側に接続することができる。加熱可能媒体パイプライン１の第１の接続端部２はタンク４の領域で結合され、一方、第２の接続端部３は投入モジュール５に接続され、この投入モジュールは、その一部としては、注入装置６の一部である。それは、排気系統分岐部６０に近接して配置されるとともに、表示のみされるエンジン６１にも近接して配置される。注入装置６の領域内への熱の放射がＱによって示される。つまり、図１１には、車両内燃エンジンのいわゆるＳＣＲ触媒システムが示されており、加熱可能媒体パイプライン１は、タンク４と注入装置６との間の接続を構成している。図１１では、直列に接続される２つの加熱可能媒体パイプラインがタンク４と注入装置６または投入モジュール５との間に配置される。これは、しばしば、設置の理由によりもたらされ、この場合、タンクには短いパイプラインが設置され、さもなければ、タンクの設置の後に、媒体パイプラインを接続するためにタンクに近づくことは、もはやできない。２つの加熱可能媒体パイプラインは、接続または分離ポイント１７の領域で互いに接続される。しかしながら、もう一つの方法として、１つの加熱可能媒体パイプラインだけを２つのパイプラインコネクタ２，３間に配置することもできる。
【００２８】
殆どの異なる環境温度または熱放射或いは熱伝導に起因して、媒体パイプラインの温かい或いは冷たい端部または温かい或いは冷たい領域が生じ、その場合、比較的冷たい端部がタンク４の領域に配置され、また、比較的暖かい端部が投入モジュール５の領域に配置される。エンジンに近い領域は、温かい或いはより暖かい領域／温かい或いはより暖かい端部と称され、また、全ての他の領域／端部は、冷たい領域／冷たい端部と称される。そこから、いかなる場合でも特定のスイッチオン期間の後に、加熱可能媒体パイプラインの２つの端部で、すなわち、加熱可能媒体パイプラインの第１および第２の接続端部２，３の領域で、異なる所要熱量がもたらされる。動作準備ができるまで、それでもより暖かい端部において、過剰の量の熱が結合されるべきではない。すなわち、より暖かい領域があまり集中的に加熱されるべきではない。その場合、ここでも、時間依存性が存在する。すなわち、一端部を他端部ほど長く加熱する必要がない。この異なる所要熱量をカバーするため、加熱可能媒体パイプライン１の２つの接続端部２，３に、ワット単位の電力の異なる出力結合を与えることができる。これにより、熱い領域が過熱から、さらに保護される。したがって、加熱可能媒体パイプラインの両方の端部が同じ規制方策に制約される場合には、それにより、媒体の解凍および加熱の後に、過熱保護をもたらすことができる。これは、例えば、２つの接続端部上またはパイプラインコネクタ２，３上での、或いは２つの接続端部またはパイプラインコネクタ２，３における、巻線の数の変化、巻線のピッチの変化、および、巻線の案内または配置の変化によって与えられ得る。この場合、加熱ストランドの数を両端部で同じとなるように選択できる。
【００２９】
また、図２に示されるように、２つの接続端部２，３上で或いは２つの接続端部２，３において異なる加熱ストランドを使用することができる。図２に係る加熱可能媒体パイプラインの実施形態では、４つの加熱ストランドまたは加熱要素１０，１１，１２，１３が設けられる。この場合、加熱ストランド１０，１１は媒体パイプライン７に沿って延び、一方、加熱ストランド１３は、加熱可能媒体パイプライン１の第２の接続端部３に或いは第２の接続端部３上に配置され、また、加熱ストランド１２は、加熱可能媒体パイプライン１の第１の接続端部２に或いは第１の接続端部２上に配置される。加熱ストランド１２は抵抗Ｒ１を有し、加熱ストランド１３は抵抗Ｒ２を有する。接続端部２が熱い領域として構成される場合においては、加熱ストランド１２の抵抗Ｒ１は加熱ストランド１３の抵抗Ｒ２よりも小さい。図２に係る例示的な実施形態において、第１および第２の加熱ストランド１０，１１の抵抗Ｒ３，Ｒ４は、それらが等しいサイズを成すように構成される。しかしながら、それらの抵抗はまた、異なって寸法付けられるように構成することができ、および／または、異なるピッチをもってパイプライン上に配置することができる。媒体パイプラインと対照してみると、パイプラインコネクタ上に締める加熱導体を変えるための選択肢はあまりない。これは、加熱導体を締めることも、結果として加熱導体のピッチも大部分が、パイプラインコネクタによって定まるからである。したがって、１つの変形の選択肢は、別個の加熱ストランドを設けること、あるいは、パイプラインの１つまたは２つの加熱ストランドをパイプラインコネクタ上に配置することにある。
【００３０】
リード線８，９が加熱ストランド１１および加熱ストランド１２に接続される。リード線は、加熱導体をエネルギー供給源（電流源または電圧源）に接続するために使用されて加熱のために設けられない導体を意味するべく理解される。したがって、リード線は、通常、加熱導体よりも低い抵抗を有する。同様に、基本的には、２つのリード線８，９を加熱ストランド１１および加熱ストランド１３に接続することができる。また、加熱ストランド１２の抵抗が加熱ストランド１３の抵抗よりも大きくなるように２つの加熱ストランド１２，１３を構成することもでき、その場合、低い抵抗を有する加熱ストランドが従来のように熱い領域に設けられ、また、比較的高い抵抗を有する加熱ストランドが冷たい領域に設けられる。図１および図２に示される設計変形例では、２つのリード線８，９が一例としてパイプラインコネクタ２を通じて導き出されて示されるが、図３〜図６および図９に示される設計変形例では、２つのリード線８，９が一例としてパイプラインコネクタ３を通じて導き出されて示される。
【００３１】
図３は、加熱可能媒体パイプライン１の第２の実施形態を示しているが、この場合、図２に係る実施形態と対照してみると、３つの加熱ストランドだけが設けられる。図２に係る実施形態と比べると、加熱ストランド１２が省かれており、また、図３における接続ポイント１４により示されるように、第１の接続端部または第１のパイプラインコネクタ（クイックコネクタ）２の領域に配置される加熱ストランド１０，１１の２つの端部が互いに接続される。この実施形態でも、第１の接続端部または第１のパイプラインコネクタ２は、熱い領域に配置され、その結果、加熱ストランド１２の抵抗Ｒ１が、ここでは省かれる。これは、例えば、異なる熱質量が２つの接続端部２，３に配置される場合、例えば高い熱質量を伴う１つのユニットが一方の端部に配置される場合には、理にかなっていることが理解できる。例えば、熱い周囲環境による加熱が満足できるようにパイプラインコネクタ２をエンジンに近接して配置して、該パイプラインコネクタ内の媒体、または、排気系統分岐部内の排ガスが特に熱いエンジンに近い同じ端部／同じ領域の媒体パイプライン内の媒体を解凍することができる。
【００３２】
図４は、加熱可能媒体パイプライン１の更なる実施形態を示す。ここでも、加熱ストランド１２が省かれており、この場合、加熱可能媒体パイプライン１の第１の接続端部２の領域内の媒体パイプライン７上で、媒体パイプライン７内で、または、媒体パイプライン７で終わる加熱ストランド１０，１１の端部は、媒体パイプライン７の領域で互いに接続される。結果として、第１のパイプラインコネクタまたは接続端部２に関しては、媒体パイプライン７の一部が加熱されないままである。これは、加熱可能媒体パイプライン１が周囲環境からの集中的な熱供給に晒される場合において特に適する。この場合も同様に、エンジンに近い媒体パイプライン７の領域は加熱されないままとなり得る。図３に係る実施形態および図４に係る加熱可能媒体パイプラインの実施形態のいずれにおいても、２つのリード線８，９が加熱ストランド１１および加熱ストランド１３に結合される。
【００３３】
図５および図６に係る加熱可能媒体パイプライン１の実施形態では、２つの加熱ストランド１０，１１だけが設けられる。したがって、２つのリード線８，９はこれらの２つの加熱ストランド１０，１１に接続され、両方の実施形態におけるリード線８，９の配置は、第２の接続端部またはパイプラインコネクタ３の領域に与えられる。２つの異なる設計変形例が図５に示されており、１つが破線で示される。これらの２つの設計変形例同士の間の違いは、加熱ストランド１０，１１間の接続ポイント１４が、第１の接続端部またはパイプラインコネクタ２の領域に図３に示されるように設けられ、あるいは、媒体パイプライン７に沿って図４に示されるように設けられるという事実にある。接続ポイント１４は、非常に激しい熱から接続ポイントを保護するために熱い領域に配置することを避けることが理にかなう場合がある圧着ポイントである。恒久的にシールされる圧着接続のため、耐熱材料を使用することができ、あるいは、言及したように、圧着接続を該圧着接続が更にシールされたままとなる温度範囲内に配置することができる。いずれの場合においても、第１のパイプラインコネクタまたは第１の接続端部２は熱い領域として加熱される。
【００３４】
破線で示される媒体パイプライン７に沿う接続ポイント１４の配置の変形において、接続ポイントの一部は完全に加熱されないままである。接続ポイント１４が第１の接続端部上またはパイプラインコネクタ２上に或いは第１の接続端部またはパイプラインコネクタ２に配置される、実線により示される変形では、パイプラインコネクタまたは接続端部の少なくともこの部分が加熱されるか或いは加熱され得る。２つの加熱ストランド１０，１１の抵抗Ｒ３，Ｒ４は、異なって構成し或いは寸法付けることができ、そうすることにより、加熱可能媒体パイプラインの２つの端部で結合する出力を異ならせることが可能となる。同じことが、図６に係る加熱可能媒体パイプラインの実施形態においても当てはまり、この図示の実施形態では、加熱ストランド１１の抵抗Ｒ４が加熱ストランド１０の抵抗Ｒ３よりも小さく構成され、また、加熱ストランド１１は、それが第１の接続端部またはパイプラインコネクタ２に或いは第１の接続端部上またはパイプラインコネクタ２上に配置されるように、熱い領域内に延びる。加熱ストランド１０は、第２の接続端部または第２のパイプラインコネクタ３を越えて延びる。したがって、各加熱ストランドは、各接続端部上／パイプラインコネクタ２，３上に、或いは各接続端部／パイプラインコネクタ２，３に、巻き付くか或いは配置するように設けられる。
【００３５】
図７および図８に係る加熱可能媒体パイプライン１の実施形態では、互いに別個の回路が形成され、第１の接続端部または第１のパイプラインコネクタ２は、加熱ストランド１２により形成される第１の回路１５を備え、また、媒体パイプライン７の少なくとも一部に沿って延びる２つの加熱ストランド１０，１１、および、第２の接続端部または第２のパイプラインコネクタ３において、または、第２の接続端部または第２のパイプラインコネクタ３上において、または、第２の接続端部または第２のパイプラインコネクタ３の上方において、延びる加熱ストランド１３により形成される第２の回路１６を備える。したがって、電流供給を可能にするために、リード線８，９が２つの回路に配置される。更に接続端部またはパイプラインコネクタ２が熱い領域に配置されると仮定すると、抵抗Ｒ１は抵抗Ｒ２よりも小さい。
【００３６】
しかしながら、逆が当てはまる場合もあり、その場合、異なる回路を設けることにより、加熱可能媒体パイプライン１の接続端部２，３でそれぞれの所要熱量がどの程度高いかに応じて、加熱可能媒体パイプラインの個々の領域を異なって加熱することができる。
【００３７】
図８に係る加熱可能媒体パイプラインの実施形態において、図７に係る実施形態との違いは、単に、第１の回路１５の２つのリード線８，９が加熱可能媒体パイプラインの第２の接続端部３の側へと移され、それにより、全てのリード線接続部が加熱可能媒体パイプラインの一方側に位置するという事実にある。
【００３８】
少なくとも２つの回路が設けられる場合には、異なる規制方策に従うことができる。例えば、図７および図８の個々の回路、それらの回路の１つは、必要に応じて、例えば予め決定可能な温度閾値を超える場合に、オフに切り換えることができる。同様に、両方の回路の断続動作または連続動作も可能である。これは、図７および図８に示されない規制装置によって制御することができ或いは規制することができる。
【００３９】
加熱可能媒体パイプライン１の更なる実施形態が図９に示される。この設計変形例では、図２に係る構造変形例と対照してみると、加熱可能媒体パイプライン１の接続端部２に、接続端部２上に、または、接続端部２の上方に配置される加熱ストランド１２の抵抗Ｒ１がＰＴＣ抵抗として構成され、その場合、第１の接続端部２が加熱可能媒体パイプラインの熱い領域に更に設けられる。したがって、この設計変形例では、複数の加熱ストランドまたは加熱要素と、異なる加熱挙動または温度挙動との組み合わせがもたらされる。これは、例えば過熱を防止するために、例えば自己規制挙動が設けられるべき場合に、有利であることが理解できる。
【００４０】
図１０ａおよび図１０ｂは、例えば分離または接続ポイント１７と共に図１１に示されるように、図１に係る２つの加熱可能媒体パイプラインの組み合わせを形成しており、１つのパイプラインが疑似形成される。前述したように、図１１に係る構成では、１つの媒体パイプラインだけを設けることができる。２つのパイプラインはリード線８，９を介して互いに接続され、第１の加熱可能媒体パイプライン１ａには、第２の接続端部またはパイプラインコネクタ３ａの領域に２つのリード線８，９に対する接続部が設けられ、また、２つのリード線８，９は、第２の加熱可能媒体パイプライン１ｂの第１の接続端部２ｂへと延びて、そこで加熱ストランド１２ｂ，１１ｂに接続される。また、第２の媒体パイプライン１ｂは、その第２の接続端部３ｂの領域に、電流供給源に接続するための２つの更なるリード線８，９を有する。原理的に２つの加熱可能媒体パイプラインを組み合わせて１つのパイプラインを形成するこの設計変形例では、第１の加熱可能媒体パイプライン１ａの第１の接続端部２ａの領域だけが熱い領域として構成され、したがって、それに応じて、加熱ストランド１２ａは、その場所でその抵抗Ｒ１ａについて設計される。第１の加熱可能媒体パイプライン１ａの第２の接続端部３ａおよび第２の加熱可能媒体パイプライン１ｂの第１および第２の接続端部２ｂ，３ｂの更なる抵抗Ｒ２ａ，Ｒ１ｂ，Ｒ２ｂは、いずれも冷たい領域に位置する。したがって、加熱ストランド１２ｂ，１３ａ，１３ｂの対応する抵抗Ｒ２ａ，Ｒ１ｂ，Ｒ２ｂは、第１の加熱可能媒体パイプライン１ａの加熱ストランド１２ａの抵抗Ｒ１ａよりも大きい。加熱ストランド１０ａ，１０ｂ，１１ａ，１１ｂは、２つの媒体パイプライン７ａ，７ｂに沿って延びる。
【００４１】
図１の２つの接続端部２，３に示されるように、これらの接続端部２，３には、保護機能を同時に発揮する外部絶縁装置２０，３０が設けられる。異なる放熱に関する要求が存在する限りにおいて、絶縁装置２０，３０を異なるように構成することができ、特に、異なる絶縁特性を有することができる。これは、２つの絶縁装置の構成を変えることによる場合と同様に、材料の選択の変化によって与えることができる。また、根本的に、そのような絶縁装置を一方側または両側で省くことができ、また、例えば、そこでの損傷からの保護として保護シェルのみを設けることができる。しかしながら、媒体パイプラインを外側から取り囲むクラッドパイプ、例えば波形パイプ７０もそのような絶縁機能を果たす。したがって、パイプラインの構造は、加熱ストランド１０，１１による媒体パイプライン７の巻回、テープ７１または接着剤、布、または、布−接着テープによる巻回、および、巻回された媒体パイプラインとクラッドパイプとの間に絶縁空隙７２を残しつつクラッドパイプ７０を配置すること、を含む。
【００４２】
２つの接続端部またはパイプラインコネクタ２，３は、異なる材料から成っていても良い。例えば、一方のパイプラインコネクタにおいて、他方のパイプラインコネクタにおけるよりも導電性が高い材料を使用することができ、例えば金属および／または導電性プラスチックを導電性が高い材料として使用することができ、また、標準的なプラスチックを導電性が低い材料として使用することができる。パイプラインコネクタのそのようなバリエーションにより、より良好な温度分布を実現することができ、特に、加熱可能媒体パイプラインに接続される構成要素への放熱を実現することができる。バリエーションのための１つの選択肢は、加熱可能媒体パイプラインの接続端部として、一方で結合部品を設け、他方でプラグコネクタを設けることにある。それにより、いわゆるホットスポットの防止も可能である。
【００４３】
また、パイプラインコネクタまたは接続端部の部分領域への熱入力は、可能であり、例えば、媒体パイプラインからパイプラインコネクタのうちの少なくとも１つへの径方向の熱伝達が可能である。これは、パイプラインコネクタにおけるスペースのために更なる加熱技術をこのスペースに配置できないか、或いは組み込むことができない場合に特に適している。１〜２０Ｗ／（ｍ・Ｋ）、特に１〜７Ｗ／（ｍ・Ｋ）の熱伝導率を有する材料が、そのようなパイプラインコネクタ、特にそのようなパイプラインコネクタの熱伝導性部品のための材料として適している。また、１〜１０％の破断点伸び、特に約２％の破断点伸びを有する材料を使用することが有益であることが分かる。高い熱伝導率は、可能な限り高い充填材比率によって得られるが、これは、特にプラスチックの機械的特性を大幅に損ない、それにより、プラスチックが非常に脆くなり、該プラスチックの強度が低下する。したがって、所望の高い熱伝導率と良好な機械的特性との間の良好な兼ね合いが選択される。主に長いガラス繊維または短いガラス繊維などの無機充填材が充填材として適する。例えば、長いガラス繊維を有し、約１４５ＭＰａの引張り強さと、約２％の破断点伸びとを有するポリマーＰＡ６６、例えばカイゼルスラウテルンのＥＰＩＣ  Ｐｏｌｙｍｅｒｓ社が提供しているＳｔａｒ−Ｔｈｅｒｍ（登録商標）ＷＧ  Ａ−２などを、充填材として使用できる。短いガラス繊維を有するポリマーＰＡ６６も６０ＭＰａの引張り強さと０．９％の破断点伸びとを有するカーボン系（グラファイト）充填材として適しており、例えば、会社ＡＬＢＩＳ  Ｐｌａｓｔｉｃ  ＧｍｂＨの製品Ａｌｃｏｍ  ＰＡ６６  ９１０／３０．１  ＧＦ１５  ＴＣＥ５は、それが非常に熱伝導性があるため、同様に適している。パイプラインコネクタを製造するために、他の熱伝導性材料も適しており、特に材料の組み合わせも適している。
【００４４】
図１１に示されるように、少なくとも１つの分離または接続ポイント１７を加熱可能媒体パイプラインに沿って設けることができる。結果として、図１０ａおよび図１０ｂにおいて既に示されるように、媒体パイプラインを２部品で構成することができる。加熱可能媒体パイプラインを２つに分割する以外に、複数の部分に分割すること、例えば３つに分割することもできる。後者の場合には、複数の分離または接続ポイント、あるいは、互いに接続され或いは結合される、第１、第２、および、第３の加熱可能媒体パイプラインが設けられる。システム簡略化の過程では、これまでに投入モジュール５を用いた投入ポイントがエンジンブロックの方向に更に移されるため、２つの互いに結合されるパイプラインへの加熱可能媒体パイプラインの分離は有益であることが分かる。これは、加熱可能媒体パイプラインに接続される構成要素の領域において加熱されるべきポイントに近接して、加熱または加熱技術を設けることができるからである。図１１に示される設計変形例において、そのような加熱技術は、タンク４の領域において媒体パイプラインおよびパイプラインコネクタ２のために設けられる。分離ポイント１７は、例えば、加熱可能媒体パイプラインの両方の部分の端部に配置される結合部品によって構成することができ、また、互いに差し込むことができる。また、加熱可能媒体パイプラインのそのような分離可能性、すなわち、分離ポイントまたは結合ポイント１７を設けることは、車両における加熱可能媒体パイプラインの設置を容易にする。
【００４５】
加熱可能媒体パイプライン１、および、該パイプラインに取り付けられ、ここでは屈曲型コネクタの形態を成すパイプラインコネクタ３の更なる実施形態を図１２に示す。加熱可能媒体パイプライン１は、ここでは、一方が他方の内部に配置される２つの媒体パイプライン、すなわち、内部媒体パイプライン１ｃおよび外部媒体パイプライン１ｄを備える。内部媒体パイプライン１ｃは、その内部管腔１００内に２つの加熱ストランド１０，１１を有し、したがって、内部から加熱することができる。加熱されるべき媒体は、内部媒体パイプライン１ｃと外部媒体パイプライン１ｄとの間の中間空間１０１を通じて流れることができる。外部媒体パイプライン１ｄはパイプラインコネクタ３に結合される。内部媒体パイプライン１ｃは、パイプラインコネクタ３の壁３２の開口３１を通じて外に案内される。媒体が中間空間１０１を突き抜けて外部へ出ることを防止するべく、壁３２を貫通する外側への通過ポイントを外部からシールするために、閉塞部品３３が壁３２の外面３４のその場所に配置される。クラッドパイプまたは波形パイプ７０が、パイプラインコネクタ３の外側において媒体パイプラインを外側から取り囲んで配置され、それにより、外部媒体パイプライン１ｄとクラッドパイプ７０との間に絶縁空隙７２が残される。また同様にパイプラインコネクタ３の更なる絶縁のために、外部絶縁または保護キャップ７３が、パイプラインコネクタとクラッドパイプの端部とを取り囲んで設けられる。
【００４６】
内部媒体パイプライン１ｃを通じて案内される２つの加熱ストランド１０，１１は、端部において、内部媒体パイプラインを通じて外部に案内される。２つの加熱ストランド１０，１１のうちの短い方の加熱ストランド、例えば、図５に係る実施形態では加熱ストランド１１、図６に係る実施形態では加熱ストランド１０は、例えば圧着接続により、接続ポイント８０でリード線８に接続される。それに加えて、接続部は、縮径チューブまたはカプセル封入によって封止することができる。２つの加熱ストランド１０，１１のうちの長い方の加熱ストランド、例えば、図５に係る実施形態では加熱ストランド１０、図６に係る実施形態では加熱ストランド１１は、最初に屈曲型接続片３５の周囲に巻回された後、リード線９への接続のために接続ポイント９０へと案内される。この接続も圧着接続にすることができ、この接続部は、縮径チューブおよび／または鋳造材料によって外部から更にシールされる。接続ポイント８０，９０はいずれも、保護キャップ７３の内側に配置され、特にそれらのために設けられるレセプタクル７４内に受け入れられる。両方のリード線８，９は、接続ポイント８０，９０と反対側のその端部８１，９１にプラグ８９が設けられ、このプラグは、電気エネルギー供給源に接続するために使用される。
【００４７】
パイプラインコネクタの熱伝導率に加えて、熱い領域では相当の耐熱性も重要となり得る。有利なことには、他のパイプラインコネクタ３のために使用される材料と比べて耐熱性がある材料、例えば、耐熱性プラスチック材料、特にＰＰＡ（ポリフタルアミド）などのポリマーを、熱い領域に配置されるパイプラインコネクタ２のために使用できる。この領域において媒体パイプライン７も、より耐熱性がある材料から成れば、更に有益であることが分かる。ここでは、図１０ａおよび図１０ｂまたは図１１に示されるように、パイプラインを２つに分割して設けることが適している。したがって、パイプラインコネクタまたはクイックコネクタ２と、媒体パイプライン７の一部とは、例えばＰＰＡから成ることができ、また、残りの媒体パイプラインは、冷たい領域に配置されてプラグコネクタとして構成され得るパイプラインコネクタ３と同様に、例えばポリアミド１２から成ることができる。また、パイプラインコネクタは、ＰＡ１２  ＧＦ３０またはポリアミド６から成ることもできる。ホース状媒体パイプラインを使用する場合、該パイプラインは、熱い領域におけるＰＰＡから形成されるパイプラインコネクタと組み合わせて、ＥＰＤＭ（エチレンプロピレンジエンモノマー）から成ることができる。
【００４８】
ＰＰＡなどの耐熱性材料から成る媒体パイプラインの部分は、例えば、耐熱性ＴＰＣ（熱可塑性ポリエステルエラストマー）から形成されるクラッドパイプまたは波形パイプ７０および布テープ７１に存することができ、この領域の圧着接続は、この領域では、例えば合金Ｋ−７５から成ることができ、また、縮径チューブはＦＥＰ（フッ素化エチレンプロピレン）から成ることができる。ＰＡ１２から形成される残りの媒体パイプライン（冷たい領域内にある）は、標準的なテープ７１により巻回され得るとともに、改質ポリプロピレン（ＰＰＭｏｄ）から成るクラッドパイプまたは波形パイプ７０によって被包される。この領域における圧着接続は、ＣｕＺｎ３０と、ＸＰＥ（放射線架橋ポリエチレン）から形成される縮径チューブとから成ることができる。
【００４９】
ＰＰＡは、より高い温度に特に適しており、非常に良好な透過挙動を有し、したがって、加熱可能媒体パイプラインを通じて流れる侵襲性の強い媒体を殆ど透過させない。
【００５０】
前述しかつ図示した設計変形例の全ては、所望の通りに互いに組み合わせることができ、特に、媒体パイプラインの２部品に関して図１０ａおよび図１０ｂに一例として示したように、前後に接続することによって、組み合わせることができる。また、既に説明されかつ図に示される、媒体パイプライン７に沿う加熱ストランドの配置、および、２つの接続端部またはパイプラインコネクタ２，３の変形は、所望の通りに互い組み合わせて変えることができ、それにより、組み立てられた加熱可能媒体パイプライン１の接続端部へ所望の差別化された熱入力を付与することができる。特に、全ての設計変形例において、抵抗Ｒ１の代わりに、ＰＴＣを使用することもできる。
【００５１】
冒頭で言及されて図に示される、２つの接続端部および少なくとも２つの電気加熱要素を有する少なくとも１つの媒体パイプラインを伴う加熱可能媒体パイプラインの設計変形例に加えて、多くの更なる設計変形例を形成でき、それぞれの場合において、少なくとも１つの手段が設けられ、該手段によって、異なる熱入力および／または出力が媒体パイプラインの２つの接続端部において可能となる。
【符号の説明】
【００５２】
１  加熱可能媒体パイプライン
１ａ  第１の加熱可能媒体パイプライン
１ｂ  第２の加熱可能媒体パイプライン
１ｃ  内部媒体パイプライン
１ｄ  外部媒体パイプライン
２  第１の接続端部／第１のパイプラインコネクタ
２ａ  １ａの第１の接続端部／第１のパイプラインコネクタ
２ｂ  １ｂの第１の接続端部／第１のパイプラインコネクタ
３  第２の接続端部／第２のパイプラインコネクタ
３ａ  １ａの第２の接続端部／第２のパイプラインコネクタ
３ｂ  １ｂの第２の接続端部／第２のパイプラインコネクタ
４  タンク
５  投入モジュール
６  注入装置
７  媒体パイプライン
７ａ  媒体パイプライン
７ｂ  媒体パイプライン
８  リード線
９  リード線
１０  第１の加熱ストランド／第１の加熱要素
１０ａ  第１の加熱ストランド／第１の加熱要素
１０ｂ  第１の加熱ストランド／第１の加熱要素
１１  第２の加熱ストランド／第２の加熱要素
１１ａ  第２の加熱ストランド／第２の加熱要素
１１ｂ  第２の加熱ストランド／第２の加熱要素
１２  第３の加熱ストランド／第３の加熱要素
１２ａ  第３の加熱ストランド／第３の加熱要素
１２ｂ  第３の加熱ストランド／第３の加熱要素
１３  第４の加熱ストランド／第４の加熱要素
１３ａ  第４の加熱ストランド／第４の加熱要素
１３ｂ  第４の加熱ストランド／第４の加熱要素
１４  接続ポイント
１５  第１の回路
１６  第２の回路
１７  分離ポイント／接続ポイント
２０  絶縁装置
３０  絶縁装置
３１  開口
３２  壁
３３  閉塞部品
３４  外面
３５  屈曲型接続ピース
６０  排気系統分岐部
６１  エンジン
７０  波形パイプ
７１  テープ
７２  空隙
７３  保護キャップ
７４  レセプタクル
８０  接続ポイント
８１  端部
８９  プラグ
９０  接続ポイント
９１  端部
１００  １ｃの内部ルーメン
１０１  １ｃと１ｄとの間の中間空間
【図１】
2014534391.tif 000003
【図２】
2014534391.tif 000004
【図３】
2014534391.tif 000005
【図４】
2014534391.tif 000006
【図５】
2014534391.tif 000007
【図６】
2014534391.tif 000008
【図７】
2014534391.tif 000009
【図８】
2014534391.tif 000010
【図９】
2014534391.tif 000011
【図１０】
2014534391.tif 000012
【図１１】
2014534391.tif 000013
【図１２】
2014534391.tif 000014
【国際調査報告】
2014534391.tif 000015
2014534391.tif 000016
2014534391.tif 000017
2014534391.tif 000018
2014534391.tif 000019
2014534391.tif 000020